(57)【要約】      （修正有）【課題】結合して中空円筒を形成し、パイプの熱及び振動の絶縁性を向上できるパイプの補強絶縁ジャケットを提供する。【解決手段】パイプの補強絶縁ジャケットは、第１のジャケット部材２１と第２のジャケット部材３１を含み、各ジャケット部材は、中空半円筒の形状を有する寸法安定性熱絶縁材料を含む。第１と第２のジャケット部材の両方は、実質的に同一の断面形状を有し、結合して中空円筒を形成し、絶縁されるべきパイプ６０を囲む。補強部材５０が、少なくとも１つのジャケット部材の寸法安定性熱絶縁材料本体内に位置する。補強部材には、ロッド部品５２と２つのエンドキャップピース５３、５４が設けられる。エンドキャップピースは、プラスチックであり、ロッド部品は、鉄、鋼、又は硬質プラスチックを含む硬質ロッドである。補強部材は、ジャケット部材の寸法安定性熱絶縁材料本体に追加の剛性を与える。【選択図】図１
0003231205.tif 000002
【実用新案登録請求の範囲】
【請求項１】
半径方向に延在する第１の端面（２２）、半径方向に延在する第２の端面（２３）、内面領域（２４）及び外面領域を有する中空半円筒の形状を有する寸法安定性熱絶縁材料を含む第１のジャケット部材（２１）と、
半径方向に延在する第１の端面（３２）、半径方向に延在する第２の端面（３３）、内面領域（３４）及び外面領域を有する中空半円筒の形状を有する寸法安定性熱絶縁材料を含む第２のジャケット部材（３１）と、
硬質ロッド部品（５２）及び２つのエンドキャップピース（５３、５４）を含む、前記第１のジャケット部材（２１）及び前記第２のジャケット部材（３１）のうちの少なくとも１つの寸法安定性熱絶縁材料内に配置される補強部材（５０）と、
前記第１及び第２のジャケット部材（２１、３１）に共通し、前記第１のジャケット部材（２１）の前記外面領域及び前記第２のジャケット部材（３１）の前記外面領域の両方を覆うテープ部材（４１）であって、当該テープ部材（４１）は、前記第１及び第２のジャケット部材（２１、３１）が、パイプ用補強絶縁ジャケット（１０）が絶縁されるべきパイプ（６０）上を半径方向に移動することができる程度に前記第１及び第２のジャケット部材（２１、３１）の前記第１の端面（２２、３２）の側で互いに離間して広がることができるように、前記第１及び第２のジャケット部材（２１、３１）の前記第２の端面（２３、３３）の側で前記第１及び第２のジャケット部材（２１、３１）を一緒につなげる、テープ部材（４１）と、
を備え、
前記第１及び第２のジャケット部材（２１、３１）の両方は、実質的に同一の断面形状を有し、結合して中空円筒を形成するように適応され、それによって、絶縁されるべき前記パイプ（６０）を囲み、前記第１のジャケット部材（２１）の前記第１の端面（２２）が前記第２のジャケット部材（３１）の前記第１の端面（３２）に面し、前記第１のジャケット部材（２１）の前記第２の端面（２３）が前記第２のジャケット部材（３１）の前記第２の端面（３３）に面し、
前記第１のジャケット部材（２１）の前記内面領域（２４）及び前記第２のジャケット部材（３１）の前記内面領域（３４）には、弾性被覆層（２６、３６）が設けられ、前記第１及び第２のジャケット部材（２１、３１）の前記内面領域（２４、３４）上の前記弾性被覆層が絶縁されるべき前記パイプ（６０）と係合し、
前記第１のジャケット部材（２１）の前記第１の端面（２２）及び前記第２のジャケット部材（３１）の前記第１の端面（３２）のうちの少なくとも１つ並びに前記第１のジャケット部材（２１）の前記第２の端面（２３）及び前記第２のジャケット部材（３１）の前記第２の端面（３３）のうちの少なくとも１つに、弾性被覆層が設けられる、
パイプ用補強絶縁ジャケット（１０）。
【請求項２】
前記第１のジャケット部材（２１）及び前記第２のジャケット部材（３１）が、硬質発泡ポリウレタン材料で作られる、請求項１に記載のパイプ用補強絶縁ジャケット（１０）。
【請求項３】
前記寸法安定性熱絶縁材料及び前記弾性被覆層（２６、３６）の間にある、前記第１のジャケット部材（２１）及び前記第２のジャケット部材（３１）を覆うラテックス被覆層（２５、３５）をさらに備える、請求項１に記載のパイプ用補強絶縁ジャケット（１０）。
【請求項４】
前記補強部材（５０）の前記硬質ロッド部品（５２）は、プラスチックを含む、請求項１に記載のパイプ用補強絶縁ジャケット（１０）。
【請求項５】
前記補強部材（５０）の前記硬質ロッド部品（５２）は、硬質プラスチックを含む、請求項４に記載のパイプ用補強絶縁ジャケット（１０）。
【請求項６】
前記補強部材（５０）の前記硬質ロッド部品（５２）は、鋼を含む、請求項１に記載のパイプ用補強絶縁ジャケット（１０）。
【請求項７】
前記補強部材（５０）の前記エンドキャップピース（５３、５４）は、プラスチックを含む、請求項１に記載のパイプ用補強絶縁ジャケット（１０）。
【請求項８】
前記テープ部材（４１）は、前記第１又は第２のジャケット部材（２１、３１）の前記外面領域及び前記第１の端面（２２、３２）の間の縁を超えて延在するつまみ部（４６）を備え、前記第１又は第２のジャケット部材（２１、３１）の前記外面領域に面する前記つまみ部（４６）の表面には、粘着層が設けられる、請求項１に記載のパイプ用補強絶縁ジャケット（１０）。
【請求項９】
前記テープ部材（４１）は、閉細胞型（ｃｌｏｓｅｄ  ｃｅｌｌｕｌａｒ）構造を備える、請求項１に記載のパイプ用補強絶縁ジャケット（１０）。
【請求項１０】
前記弾性被覆層（２６、３６）は、閉細胞型構造を備える、請求項１に記載のパイプ用補強絶縁ジャケット（１０）。
【請求項１１】
前記弾性被覆層（２６、３６）は、制振特性を備え、圧縮応力がかけられたとき弾性的挙動を有する、請求項１に記載のパイプ用補強絶縁ジャケット（１０）。
【請求項１２】
前記テープ部材（４１）により覆われた前記第１のジャケット部材（２１）及び前記第２のジャケット部材（３１）の前記外面領域には、平滑な表面が設けられる、請求項１に記載のパイプ用補強絶縁ジャケット（１０）。
【請求項１３】
前記テープ部材（４１）により覆われた前記第１のジャケット部材（２１）及び前記第２のジャケット部材（３１）の前記外面領域は、非発泡表面層を備える、請求項１に記載のパイプ用補強絶縁ジャケット（１０）。
【請求項１４】
前記第１のジャケット部材（２１）及び前記第２のジャケット部材（３１）のそれぞれは、補強部材を含む、請求項１に記載のパイプ用補強絶縁ジャケット（１０）。
【請求項１５】
半径方向に延在する第１の端面（２２）、半径方向に延在する第２の端面（２３）、内面領域（２４）、及び外面領域を有する中空半円筒の形状を有する寸法安定性熱絶縁材料を含む第１のジャケット部材（２１）と、
半径方向に延在する第１の端面（３２）、半径方向に延在する第２の端面（３３）、内面領域（３４）及び外面領域を有する中空半円筒の形状を有する寸法安定性熱絶縁材料を含む第２のジャケット部材（３１）と、
ロッド部品（５２）及び２つのエンドキャップピース（５３、５４）を含む、前記第１のジャケット部材（２１）及び前記第２のジャケット部材（３１）のうちの少なくとも１つの寸法安定性熱絶縁材料内に配置される補強部材（５０）であって、当該ロッド部品（５２）及び当該２つのエンドキャップピース（５３、５４）がプラスチックを含む、補強部材（５０）と、
前記第１及び第２のジャケット部材（２１、３１）に共通し、前記第１のジャケット部材（２１）の前記外面領域及び前記第２のジャケット部材（３１）の前記外面領域の両方を覆うテープ部材（４１）であって、当該テープ部材（４１）は、前記第１及び第２のジャケット部材（２１、３１）が、パイプ用補強絶縁ジャケット（１０）が絶縁されるべきパイプ（６０）上を半径方向に移動することができる程度に前記第１及び第２のジャケット部材（２１、３１）の前記第１の端面（２２、３２）の側で互いに離間して広がることができるように、前記第１及び第２のジャケット部材（２１、３１）の前記第２の端面（２３、３３）の側で前記第１及び第２のジャケット部材（２１、３１）を一緒につなげ、当該テープ部材（４１）は、前記第１又は第２のジャケット部材（２１、３１）の前記外面領域及び前記第１の端面（２２、３２）の間の縁を越えて延在するつまみ部（４６）を含み、前記第１又は第２のジャケット部材（２１、３１）の前記外面領域に面する前記つまみ部（４６）の表面には、粘着層が設けられる、テープ部材（４１）と、
を備え、
前記第１及び第２のジャケット部材（２１、３１）の両方は、実質的に同一の断面形状を有し、結合して中空円筒を形成するように適応され、それによって、絶縁されるべき前記パイプ（６０）を囲み、前記第１のジャケット部材（２１）の前記第１の端面（２２）が前記第２のジャケット部材（３１）の前記第１の端面（３２）に面し、前記第１のジャケット部材（２１）の前記第２の端面（２３）が前記第２のジャケット部材（３１）の前記第２の端面（３３）に面し、
前記第１のジャケット部材（２１）の前記内面領域（２４）及び前記第２のジャケット部材（３１）の前記内面領域（３４）には、弾性被覆層（２６、３６）が設けられ、前記第１及び第２のジャケット部材（２１、３１）の前記内面領域（２４、３４）上の前記弾性被覆層が絶縁されるべき前記パイプ（６０）と係合し、
前記第１のジャケット部材（２１）の前記第１の端面（２２）及び前記第２のジャケット部材（３１）の前記第１の端面（３２）のうちの少なくとも１つ並びに前記第１のジャケット部材（２１）の前記第２の端面（２３）及び前記第２のジャケット部材（３１）の前記第２の端面（３３）のうちの少なくとも１つに、弾性被覆層が設けられ、
前記テープ部材（４１）及び前記弾性被覆層（２６、３６）は、閉細胞型構造を備える、
パイプ用補強絶縁ジャケット（１０）。
【請求項１６】
前記第１のジャケット部材（２１）は、補強部材を含み、前記第２のジャケット部材（３１）は、補強部材を含む、請求項１５に記載のパイプ用補強絶縁ジャケット（１０）。
【考案の詳細な説明】
【技術分野】
【０００１】
本考案は、全体的に、パイプ用絶縁（熱及び振動の絶縁を意味する）ジャケット、及び、特に結合して中空（半中空を含む）円筒を形成することができる２つのジャケット部材を有するパイプ用絶縁ジャケットに関する。
【背景技術】
【０００２】
絶縁パイプの吊り下げ又は支持には、従来の絶縁材にパイプを吊り下げ又は支持するブラケットを取り付けるための十分な強度がないことに伴う問題が存在する。したがって、パイプブラケットは、一般的に、パイプに直接固定される。これには、望ましくないコールドブリッジ又はヒートブリッジの形成を防ぐために、パイプブラケット用の追加の絶縁材を必要とする。パイプブラケットに追加の絶縁材を設けることは、非常に費用がかかることが明白である。
【０００３】
特許文献１は、中空円筒を形成するために結合することができる２つのジャケット部材を含むパイプ用絶縁ジャケットを開示する。両方のジャケット部材は、寸法安定性熱絶縁材料からなる。両方のジャケット部材には、ジャケット部材の内面及び半径方向の１つに延在する端面上に延在する弾性被覆層が設けられている。２つのジャケット部材の外面は、絶縁するために、絶縁ジャケットがパイプ上で半径方向に移動できるように、それらが一方で離間して広がることができるように、ジャケット部材の一面を繋ぐ共通のテープで覆われている。テープは、ジャケット部材の２つのジャケット部材が離間して広げられる側に延在し、その内側には、パイプが囲まれたら、２つのジャケット部材を相互接続するための接着層が設けられている。
【先行技術文献】
【特許文献】
【０００４】
【特許文献１】米国特許第６，４６０，５７６号明細書
【考案の概要】
【考案が解決しようとする課題】
【０００５】
ジャケットの絶縁材本体に絶縁ジャケットの完全性及び耐久性を保護するために役立ち、またこれにより間接的に、周囲に絶縁ジャケットが取り付けられたパイプの完全性を保護するために役立つ追加の剛性を提供する、絶縁ジャケットの必要性が感じられる。
【課題を解決するための手段】
【０００６】
本明細書に開示されるのは、全体的な本考案概念の様々な例示的実施形態である。全体的に、パイプの補強絶縁ジャケットは、第１のジャケット部材と第２のジャケット部材を含み、各ジャケット部材は、半径方向に延在する第１の端面、半径方向に延在する第２の端面、内面領域、及び外面領域を有する中空半円筒の形状を有する寸法安定性熱絶縁材料を含む。第１のジャケット部材及び第２のジャケット部材の両方は、実質的に同一の断面形状を有し、結合して中空円筒を形成するように適応され、それによって、絶縁されるべきパイプが囲まれる。補強部材は、少なくとも１つのジャケット部材の寸法安定性熱絶縁材料本体内に位置する。この補強部材には、一般的に、ロッド部品及び２つのエンドキャップピースが設けられている。エンドキャップピースは、一般的に、プラスチックであり、ロッド部品は、様々な実施形態において、一般的に、鉄、鋼、又は硬質プラスチックを含み、一般的には、硬質ロッドである。補強部材は、全体的に、ロッド部品の縦軸がジャケット部材の内面に近接する位置からジャケット部材の外面に近接する位置に延び、１つのエンドキャップピースがジャケット部材の内面領域よりもジャケット部材の外面領域に近く、２つめのエンドキャップピースがジャケット部材の外面領域よりもジャケット部材の内面領域に近くなるように位置する。補強部材は、ジャケット部材の寸法安定性熱絶縁材料本体に追加の剛性を与えることで、絶縁ジャケットの完全性及び耐久性を保護するために役立つ。絶縁ジャケットの補強及び強化により、補強部材もまた間接的に、周囲に絶縁ジャケットが取り付けられたパイプの完全性を保護するために役立つ。
【０００７】
したがって、全体的な本考案概念のいくつかの例示的実施形態において、パイプの補強絶縁ジャケットは、半径方向に延在する第１の端面、半径方向に延在する第２の端面、内面領域、及び外面領域を有する中空半円筒の形状を有する寸法安定性熱絶縁材料を含む第１のジャケット部材と、半径方向に延在する第１の端面、半径方向に延在する第２の端面、内面領域、及び外面領域を有する中空半円筒の形状を有する寸法安定性熱絶縁材料を含む第２のジャケット部材と、硬質ロッド部品及び２つのエンドキャップピースを含む、前記第１のジャケット部材及び前記第２のジャケット部材のうちの少なくとも１つの寸法安定性熱絶縁材料内に配置される補強部材と、前記第１及び第２のジャケット部材に共通し、前記第１のジャケット部材の前記外面領域及び前記第２のジャケット部材の前記外面領域の両方を覆うテープ部材であって、当該テープ部材は、前記第１及び第２のジャケット部材が、パイプ用補強絶縁ジャケットが絶縁されるべきパイプ上を半径方向に移動することができる程度に前記第１及び第２のジャケット部材の前記第１の端面の側で互いに離間して広がることができるように、前記第１及び第２のジャケット部材の前記第２の端面の側で前記第１及び第２のジャケット部材を一緒につなげる、テープ部材と、を備え、前記第１及び第２のジャケット部材の両方は、実質的に同一の断面形状を有し、結合して中空円筒を形成するように適応され、それによって、絶縁されるべき前記パイプを囲み、前記第１のジャケット部材の前記第１の端面が前記第２のジャケット部材の前記第１の端面に面し、前記第１のジャケット部材の前記第２の端面が前記第２のジャケット部材の前記第２の端面に面し、前記第１のジャケット部材の前記内面領域及び前記第２のジャケット部材の前記内面領域には弾性被覆層が設けられ、前記第１及び第２のジャケット部材の前記内面領域上の前記弾性被覆層が、絶縁されるべき前記パイプと係合し、前記第１のジャケット部材の前記第１の端面及び前記第２のジャケット部材の前記第１の端面のうちの少なくとも１つ並びに前記第１のジャケット部材の前記第２の端面及び前記第２のジャケット部材の前記第２の端面のうちの少なくとも１つに、弾性被覆層が設けられる。
【図面の簡単な説明】
【０００８】
本考案の上記および追加の特徴は、図面とともに読み取られる本考案の以下の詳細な説明からより明確に理解される。添付図面および図では、大きさ及び相対的な大きさ、形状、及び、線、実体及び領域の品質は、明確にするために誇張されている場合がある。図中の構成要素は、必ずしも縮尺通りではなく、代わりに全体的な考案概念の原理を説明することに重点が置かれている。
【０００９】
【図１】全体的な本考案概念の一例示的実施形態に係る補強部材を有する絶縁ジャケットの断面図であり、以下で詳細に説明するように異なる材料の層を示し、対応するジャケット部材の端面がまだ１つにされていない構成又は状態の絶縁ジャケットを示す。
【図２】図１に示された補強部材を有する例示的実施形態の絶縁ジャケットの第２の断面図であり、全体的な本考案概念に係る、パイプを完全に囲むために対応する絶縁ジャケットの端面がまだ１つにされていない、第２の構成又は状態、又は、閉じた構成又は状態の絶縁ジャケットを示す。
【図３】全体的な本考案概念のさらなる例示的実施形態に係る補強絶縁ジャケットの断面図であり、それぞれのジャケット部材に１つずつある、２つの補強部材を有する絶縁ジャケットを示す。
【考案を実施するための形態】
【００１０】
図に目を向けると、図１は、例えば、絶縁パイプ用の、絶縁ジャケットの横断面図を示す。図１に見られるように、絶縁ジャケット１０は、中空円筒の構成の第１のジャケット部材２１と、中空円筒の構成の第２のジャケット部材３１と、を備える。第１及び第２のジャケット部材２１、３１は、非対称的に同一形状であり、寸法安定性熱絶縁材料、例えば硬質発泡ポリウレタン材料で製造される。いくつかの実施形態において、ジャケット部材２１、３１の外面には、平滑な発泡されていないポリウレタン材料の一体形成表面層上に別個の平滑被覆層が設けられている。
【００１１】
ラテックス被覆層２５、３５は、ジャケット部材２１、３１の表面領域を覆う。いくつかの実施形態において、このラテックス被覆層２５、３５は、全体的に、いくつかの種のラテックスを含み、いくつかの実施形態において、他の材料と混合したラテックスを含む。パイプ６０の外面６２と面するジャケット部材２１、３１の内面領域２４、３４には、いずれの場合にも、ラテックス被覆層２５、３５を薄く覆い、制振特性を有し、その圧縮方向に弾性である、弾性被覆層２６、３６が設けられている。弾性被覆層２６、３６は、パイプ６０の外面６２と面するジャケット部材２１、３１の内面領域２４、３４上に延在するだけではなく、第２のジャケット部材３１の上端面又は第１の端面３２上に延在するのは勿論のことジャケット部材２１の下端面又は第２の端面２３上にも延在する。端面２３、３２を覆う弾性被覆層２６、３６の領域は、それぞれ参照番号２６ａと３６ａによって明示される。第１のジャケット部材２１の第１の端面２２及び第２のジャケット部材３１の第２の端面３３は、それぞれ粘着層２７及び３７によって覆われる。一般的に、粘着層２７、３７の両方は、絶縁ジャケット１０をパイプ６０に適用する工程の間に取り除かれる取り外し可能な保護箔によって覆われる。
【００１２】
補強部材５０は、ジャケット部材の少なくとも１つ−図１で示す例示的実施形態では第２のジャケット部材３１の寸法安定性熱絶縁材料本体内に位置する。この補強部材５０は、一般的に、ロッド部品５２と２つのエンドキャップピース５３、５４を備える。エンドキャップピース５３、５４は、一般的に、プラスチックであり、ロッド部品５２は、様々な実施形態において、一般的に、鉄、鋼、又は硬質プラスチックを含み、一般的には、硬質ロッドである。補強部材５０は、全体的に、ロッド部品５２の縦軸がジャケット部材３１の内面に近接する位置からジャケット部材３１の外面に近接する位置に延び、１つのエンドキャップピース５３がジャケット部材３１の内面領域３４よりもジャケット部材３１の外面領域に近く、２つめのエンドキャップピース５４がジャケット部材３１の外面領域よりもジャケット部材３１の内面領域３４に近くなるように位置する。補強部材５０は、ジャケット部材３１の寸法安定性熱絶縁材料本体に追加の剛性を与え、絶縁ジャケット１０の完全性及び耐久性を保護するために役立つ。絶縁ジャケット１０の補強及び強化により、補強部材５０もまたこれにより間接的に、周囲に絶縁ジャケット１０が取り付けられたパイプ６０の完全性を保護するために役立つ。
【００１３】
２つのジャケット部材２１、３１の外側には、引張力に対して抵抗を示すが、弾性的に曲げることができる、共有されたテープ部材４１が設けられている。図１において見られるように、テープ部材４１は、ジャケット部材同士が、一緒につながる（本図示例の下部）が、反対側端部では、少なくとも絶縁されるべきパイプ６０上で絶縁ジャケット１０を半径方向に押すことが可能なギャップＧだけ開く程度に、矢印Ｐ１及びＰ２の方向に離間して広がる（本図示例の上部）ように、絶縁ジャケット１０を形成する２つのジャケット部材２１、３１を囲む。テープ部材４１は、第１のジャケット部材２１の第１の端面２２を超えて数センチメートル延在し、そして２つのジャケット部材２１、３１の間のギャップＧ上に延在する、つまみ部４６を備える。つまみ部４６の内面には、取り外し可能な保護箔１７によって覆われた粘着層が設けられている。
【００１４】
一般的に、絶縁ジャケット１０がパイプに適用されるとき、粘着層２７、３７を覆う保護箔１７は、絶縁ジャケットをパイプ６０に適用する前に取り除かれ、その結果、２つのジャケット部材２１、３１がパイプ６０上に配置されると、閉じた中空円筒の絶縁ジャケットを形成するように、２つのジャケット部材２１、３１はそれぞれ、それらの端面２２、３２、及び２３、３３で接着することにより一体化させられることができる。その後、つまみ部４６の粘着面を覆う保護箔は取り除かれ、つまみ部４６はジャケット部材３１の外側に固定される。したがって、テープ部材４１のつまみ部４６は、現在閉じられているギャップ上に延在し、水蒸気バリア及び湿度バリアとして機能する。この状況は、図２に示される。
【００１５】
一般的に、弾性被覆層２６、３６及びテープ部材４１の両方は、非吸湿性の特性を有する多孔性の合成ゴムで作られる。テープ部材４１及び外側の弾性被覆層２６、３６の両方を製造する材料として、合成ゴムの他に、熱可塑性材料も適している。基本的に、有機材料及び無機材料の両方を使用することができる。
【００１６】
そのような絶縁ジャケットを備えたパイプを支持又は吊り下げるために、通常、金属パイプストラップ又は金属パイプブラケットが使用され（不図示）、絶縁ジャケットの外面を囲む。テープ部材４１を設けること、及び弾性被覆層２６、３６を設けることによって、振動源と繋がっている間は、パイプブラケットがパイプ６０から十分に遮蔽されることを確実とする。したがって、振動は、パイプ６０からパイプブラケットにも、その逆にも伝達することができない。
【００１７】
ジャケット部材２１、３１の両方は、寸法安定性材料で作られるため、パイプブラケットの適用により、変形されたり圧縮されたりしない。ジャケット部材２１、３１の端面２３、３２に設けられた弾性被覆層２６、３６の領域２６ａ、３６ａのみが、パイプブラケットにより与えられた型締力の影響下で圧縮される。しかし、端面２２、２３、及び３２、３３はそれぞれ、互いに完全面的に接触、それによって、絶縁ジャケットの内部への水分の侵入に対する良好な保護を与えるので、そのような圧縮は、歓迎される。ジャケット部材２１、３１の側端面は、一般的に、ジャケット材料への水分の侵入を防止し、絶縁ジャケットを隣接する絶縁ジャケットと接続するための接着剤の適用を容易にする平滑な表面を提供するためにシールされる。
【００１８】
全体的な本考案概念に係る先に本明細書で開示した補強絶縁ジャケットの実施形態は、非常に迅速かつ容易にパイプに適用されることができる。パイプの硬質支持基盤であることの他に、そしてその容易な取り扱いの他に、本考案に係る絶縁ジャケットは、制振特性を有する利点を提供する。さらに、遮蔽されるべきパイプの外径の特定の避けられない公差を相殺することができ、蒸気及び水分のそれぞれの侵入及び漏出が、効果的に避けられる。最後に、２つのジャケット部材２１、３１に合致する設計は、絶縁ジャケットの手頃な価格での製造に有利である。
【００１９】
図面に示され、先に本明細書で説明された実施形態が、本考案の範囲を制限することを意味するものではないことが理解される。例えば、補強部材５０は、第２のジャケット部材３１の本体内よりむしろ、第１のジャケット部材２１の本体内に配置することができるであろう。さらに、様々な実施形態において、補強絶縁ジャケットは、複数の補強部材を含み得る。いくつかの実施形態において、第１のジャケット部材２１と第２のジャケット部材３１の両方が、補強部材を含む。図３に示された例示的実施形態の場合では、第１のジャケット部材２１が第１の補強部材５０ａを含み、第２のジャケット部材が第２の補強部材を５０ｂ含む。２以上の補強部材を有する補強絶縁ジャケットは、１つの補強部材のみ有する実施形態により提供されるであろう補強よりも、強い補強が要求される特定の状況−例えば、ライザーパイプ支持装置上に補強絶縁ジャケットを取り付ける状況下で役立つ。
【００２０】
さらに、他の実施形態は、例えば、弾性被覆層２６、３６は、端面２２、２３、及び３２、３３の両方の上に延在するという事実により特徴付けることができるであろう。さらに別の例示的実施形態では、２つのジャケット部材２１、３１のうちの１つだけに、前述の弾性被覆層を設けることができるであろう。その場合、弾性被覆層は、ジャケット部材３１の内面領域３４と端面３２、３３の両方との上に延在するであろうし、他の第１のジャケット部材２１の内面領域２４上だけに延在するが、端面２２、２３上には延在しないであろう。しかし、互いに対向して配置された２つの端面２２、３２、及び２３、３３の少なくとも１つには、弾性被覆層の上記の圧縮特性のため、弾性被覆層の領域２６ａ、３６ａが設けられていることが重要である。
【００２１】
したがって、全体的な本考案概念の様々な例示的実施形態は、半径方向に延在する第１の端面、半径方向に延在する第２の端面、内面領域、及び外面領域を有する中空半円筒の形状を有する寸法安定性熱絶縁材料を含む第１のジャケット部材と、半径方向に延在する第１の端面、半径方向に延在する第２の端面、内面領域、及び外面領域を有する中空半円筒の形状を有する寸法安定性熱絶縁材料を含む第２のジャケット部材と、硬質ロッド部品及び２つのエンドキャップピースを含む、前記第１のジャケット部材及び前記第２のジャケット部材のうちの少なくとも１つの寸法安定性熱絶縁材料内に配置される補強部材と、前記第１及び第２のジャケット部材に共通し、前記第１のジャケット部材の前記外面領域及び前記第２のジャケット部材の前記外面領域の両方を覆うテープ部材であって、当該テープ部材は、前記第１及び第２のジャケット部材が、パイプ用補強絶縁ジャケットが絶縁されるべきパイプ上を半径方向に移動することができる程度に前記第１及び第２のジャケット部材の前記第１の端面の側で互いに離間して広がることができるように、前記第１及び第２のジャケット部材の前記第２の端面の側で前記第１及び第２のジャケット部材を一緒につなげる、テープ部材と、を備え、前記第１及び第２のジャケット部材の両方は、実質的に同一の断面形状を有し、結合して中空円筒を形成するように適応され、それによって、絶縁されるべき前記パイプを囲み、前記第１のジャケット部材の前記第１の端面が前記第２のジャケット部材の前記第１の端面に面し、前記第１のジャケット部材の前記第２の端面が前記第２のジャケット部材の前記第２の端面に面し、前記第１のジャケット部材の前記内面領域及び前記第２のジャケット部材の前記内面領域には弾性被覆層が設けられ、前記第１及び第２のジャケット部材の前記内面領域上の前記弾性被覆層が、絶縁されるべき前記パイプと係合し、前記第１のジャケット部材の前記第１の端面及び前記第２のジャケット部材の前記第１の端面のうちの少なくとも１つ並びに前記第１のジャケット部材の前記第２の端面及び前記第２のジャケット部材の前記第２の端面のうちの少なくとも１つに、弾性被覆層が設けられる、パイプの補強絶縁ジャケットを提供する。
【００２２】
いくつかの実施形態において、前記第１のジャケット部材及び前記第２のジャケット部材は、硬質発泡ポリウレタン材料で作られる。
【００２３】
いくつかの実施形態は、前記寸法安定性熱絶縁材料と前記弾性被覆層の間にある、前記第１のジャケット部材と前記第２のジャケット部材を覆うラテックス被覆層をさらに含む。
【００２４】
いくつかの実施形態において、前記補強部材の前記硬質ロッド部品は、プラスチックを含む。
【００２５】
いくつかの実施形態において、前記補強部材の前記硬質ロッド部品は、硬質プラスチックを含む。
【００２６】
いくつかの実施形態において、前記補強部材の前記硬質ロッド部品は、鋼を含む。いくつかの実施形態において、前記補強部材の前記硬質ロッド部品は、鉄又はいくつかの他の金属を含む。
【００２７】
いくつかの実施形態において、前記補強部材の前記エンドキャップピースは、プラスチックを含む。
【００２８】
いくつかの実施形態において、前記テープ部材は、前記第１又は第２のジャケット部材の前記外面領域及び前記第１の端面の間の縁を超えて延在するつまみ部を備え、前記第１又は第２のジャケット部材の前記外面領域に面する前記つまみ部の表面には、粘着層が設けられる。
【００２９】
いくつかの実施形態において、前記テープ部材は、閉細胞型（ｃｌｏｓｅｄ  ｃｅｌｌｕｌａｒ）構造（テープの面全体に接着剤が付与されていない構造）を備える。
【００３０】
いくつかの実施形態において、前記弾性被覆層は、独立発泡構造を備える。
【００３１】
いくつかの実施形態において、前記弾性被覆層は、制振特性を備え、圧縮応力がかけられたとき弾性的挙動を有する。
【００３２】
いくつかの実施形態において、前記テープ部材により覆われた前記第１のジャケット部材と第２のジャケット部材の前記外面領域には、平滑な表面が設けられる。
【００３３】
いくつかの実施形態において、前記テープ部材により覆われた前記第１のジャケット部材と第２のジャケット部材の前記外面領域は、非発泡表面層を備える。
【００３４】
いくつかの実施形態において、前記第１のジャケット部材と前記第２のジャケット部材のそれぞれは、補強部材を含む。
【００３５】
全体的な本考案概念のいくつかの実施形態において、パイプの強化絶縁ジャケットは、半径方向に延在する第１の端面、半径方向に延在する第２の端面、内面領域、及び外面領域を有する中空半円筒の形状を有する寸法安定性熱絶縁材料を含む第１のジャケット部材と、半径方向に延在する第１の端面、半径方向に延在する第２の端面、内面領域、及び外面領域を有する中空半円筒の形状を有する寸法安定性熱絶縁材料を含む第２のジャケット部材と、ロッド部品及び２つのエンドキャップピースを含む、前記第１のジャケット部材及び前記第２のジャケット部材のうちの少なくとも１つの寸法安定性熱絶縁材料内に配置される補強部材であって、当該ロッド部品及び当該２つのエンドキャップピースがプラスチックを含む、補強部材と、前記第１及び第２のジャケット部材に共通し、前記第１のジャケット部材の前記外面領域及び前記第２のジャケット部材の前記外面領域の両方を覆うテープ部材であって、当該テープ部材は、前記第１及び第２のジャケット部材が、パイプ用補強絶縁ジャケットが絶縁されるべきパイプ上を半径方向に移動することができる程度に前記第１及び第２のジャケット部材の前記第１の端面の側で互いに離間して広がることができるように、前記第１及び第２のジャケット部材の前記第２の端面の側で前記第１及び第２のジャケット部材を一緒につなげ、当該テープ部材は、前記第１又は第２のジャケット部材の前記外面領域及び前記第１の端面の間の縁を越えて延在するつまみ部を含み、前記第１又は第２のジャケット部材の前記外面領域に面する前記つまみ部の表面には、粘着層が設けられる、テープ部材と、を備え、前記第１及び第２のジャケット部材の両方は、実質的に同一の断面形状を有し、結合して中空円筒を形成するように適応され、それによって、絶縁されるべき前記パイプを囲み、前記第１のジャケット部材の前記第１の端面が前記第２のジャケット部材の前記第１の端面に面し、前記第１のジャケット部材の前記第２の端面が前記第２のジャケット部材の前記第２の端面に面し、前記第１のジャケット部材の前記内面領域及び前記第２のジャケット部材の前記内面領域には、弾性被覆層が設けられ、前記第１及び第２のジャケット部材の前記内面領域上の前記弾性被覆層が、絶縁されるべき前記パイプと係合し、前記第１のジャケット部材の前記第１の端面及び前記第２のジャケット部材の前記第１の端面のうちの少なくとも１つ並びに前記第１のジャケット部材の前記第２の端面及び前記第２のジャケット部材の前記第２の端面のうちの少なくとも１つに、弾性被覆層が設けられ、前記テープ部材及び前記弾性被覆層は、閉細胞型構造を備える。
【００３６】
いくつかの実施形態において、前記第１のジャケット部材は、補強部材を含み、前記第２のジャケット部材は、補強部材を含む。
【００３７】
本考案はいくつかの実施形態の説明によって例示されており、例示的な実施形態はかなり詳細に説明されているが、添付の特許請求の範囲をそのように詳細に限定すること、または何らかの方法で制限することは、出願人の意図するところではない。追加の利点及び部分的変更は、当業者には容易に思われる。したがって、そのより広い態様における本考案は、特定の詳細、代表的な装置及び方法、及び示され説明された例示的な実施例に限定されない。よって、出願人の全体的な考案概念の精神又は範囲から逸脱することなく、そのような詳細からの逸脱がなされ得る。
【符号の説明】
【００３８】
１０  絶縁ジャケット、１７  保護箔、２１  第１のジャケット部材、２２、３２  第１の端面、２３，３３  第２の端面、２４，３４  内面領域、２５  ラテックス被覆層、２６，３６  弾性被覆層、２６ａ，３６ｂ  領域、２７，３７  粘着層、３１  第２のジャケット部材、４１  テープ部材、４６  つまみ部、５０、５０ａ  補強部材、５２  ロッド部品、５３，５４  エンドキャップピース、６０  パイプ、６２  外面、Ｇ  ギャップ、Ｐ１，Ｐ２  矢印
【図１】
0003231205.tif 000003
【図２】
0003231205.tif 000004
【図３】
0003231205.tif 000005